(57)【要約】      （修正有）【課題】テープライブラリ装置内部に収容されるテープカートリッジの盗難を早期に検知できるメディアカートリッジ盗難検知システムの提供。【解決手段】テープライブラリ制御装置３００が、電源を投入したテープライブラリ装置１０のテープカートリッジからバーコードリーダー１９及び製造番号読取部が読み込んだテープ構成情報を構成情報格納部に記憶する工程と、前記構成情報格納部に記憶したメディア構成情報のバーコード情報と製造番号の対応が正しいか否かを判定する判定処理を実行することを示す製造番号判定フラグをオンに設定する工程と、任意のタイミングにおいて前記構成情報格納部に格納したバーコード情報及び製造番号と前記バーコードリーダー１９及び製造番号読取部により読み込んだバーコード情報及び製造番号とを比較し、不一致と判定したとき、警告報知部によりユーザに警告を発する工程を実行する。【選択図】図２
2010250887.tif 000002
【特許請求の範囲】
【請求項１】
データを記録する記録媒体を収納し、カートリッジ製造番号を記録するメモリ及びバーコード情報を表すバーコードが設けられたメディアカートリッジを複数収納し、選択されたメディアカートリッジの記録媒体にデータの記録再生を行うメディアライブラリ装置におけるメディアカートリッジの盗難を検知するメディアカートリッジ盗難検知システムであって、
前記メディアライブラリ装置が、
前記メディアカートリッジのバーコードからバーコード情報を読み取るバーコード読取部と、前記メディアカートリッジのメモリから製造番号を読み取る製造番号読取部と、前記メディアカートリッジの投入及び排出を行うために開閉されるドアを含む筐体とを備え、
該メディアライブラリ装置を制御するライブラリ制御装置が、
前記バーコード読取部及び製造番号読取部が任意のメディアカートリッジから読み込んだ前記バーコード情報及び製造番号とを対応させたメディア構成情報を記憶する構成情報格納部とを備え、
任意のメディアカートリッジから前記バーコード読取部及び製造番号読取部が読み込んだメディア構成情報を構成情報格納部に記憶する第１工程と、
該メディアライブラリ装置の電源を投入したとき、前記構成情報格納部に記憶したメディア構成情報のバーコード情報と製造番号の対応が正しいか否かを判定する判定処理を実行することを示す製造番号判定フラグをオンに設定して記憶する第２工程とを実行させるメディアカートリッジ盗難検知システム。
【請求項２】
前記請求項１記載のメディアカートリッジ盗難検知システムであって、
前記構成情報格納部に記憶したメディア構成情報を、前記第１工程により読み込んだ新メディア構成情報と、前記第１工程を実行する以前のバーコード情報及び製造番号とを対応させた旧メディア構成情報とから構成し、
前記制御するライブラリ制御装置が、前記第１工程において、
前記構成情報格納部の新メディア構成情報を旧メディア構成情報として複写する第３工程と、
該第３工程の実行後に前記任意のメディアカートリッジから読み込んだメディア構成情報を構成情報格納部に新メディア構成情報として記憶する第４工程とを実行するメディアカートリッジ盗難検知システム。
【請求項３】
前記請求項２記載のメディアカートリッジ盗難検知システムであって、
前記ライブラリ制御装置が、ユーザに警告を発する警告報知部を備え、
前記構成情報格納部に格納した新メディア構成情報に含まれるバーコード情報と、任意のタイミングで前記バーコード読取部により読み込んだバーコード情報とを比較し、不一致と判定したとき、前記警告報知部によりユーザに警告を発する第５工程を実行するメディアカートリッジ盗難検知システム。
【請求項４】
前記請求項３記載のメディアカートリッジ盗難検知システムであって、
任意のタイミングにおいてライブラリ制御装置が、
前記構成情報格納部の製造番号判定フラグがオンに設定されているか否かを判定する第６工程と、
該第６工程において製造番号判定フラグがオンと設定されているメディア構成情報のメディアカートリッジから製造番号読取部を用いて読み取った製造番号と、前記構成情報格納部に格納したメディア構成情報に含まれる製造番号が一致するか否かを判定する第７工程と、
該第７工程において製造番号が一致しないと判定したとき、前記警告報知部によりユーザに警告を発する第８工程とを実行するメディアカートリッジ盗難検知システム。
【請求項５】
前記請求項１から４何れかに記載のメディアカートリッジ盗難検知システムであって、
前記メディアライブラリ装置がライブラリ制御装置を介してデータバックアップを制御するバックアッププログラムを実行する上位装置に接続され、
前記各請求項における各工程を、
前記上位装置のバックアッププログラムからのメディア交換命令及びメディア排出命令又はメディア投入命令を含む指示によって実行すること、
又は筐体のドアが閉じられたことを契機として実行するメディアカートリッジ盗難検知システム。
【請求項６】
データを記録する記録媒体を収納し、カートリッジ製造番号を記録するメモリ及びバーコード情報を表すバーコードが設けられたメディアカートリッジを複数収納する収納部と、前記メディアカートリッジのバーコードからバーコード情報を読み取るバーコード読取部と、前記メディアカートリッジのメモリから製造番号を読み取る製造番号読取部と、前記メディアカートリッジの投入及び排出を行うために開閉されるドアを含む筐体とを備えるメディアライブラリ装置と、
前記バーコード読取部及び製造番号読取部が任意のメディアカートリッジから読み込んだ前記バーコード情報及び製造番号とを対応させたメディア構成情報を記憶する構成情報格納部とを備えるライブラリ制御装置とから成り、メディアカートリッジの盗難を検知するメディアカートリッジ盗難検知システムにおける盗難検知方法であって、
前記ライブラリ制御装置が、メディアライブラリ装置に電源が投入されたとき、
任意のメディアカートリッジから前記バーコード読取部及び製造番号読取部が読み込んだメディア構成情報を構成情報格納部に記憶する第１工程と、
前記構成情報格納部に記憶したメディア構成情報のバーコード情報と製造番号の対応が正しいか否かを判定する判定処理を実行することを示す製造番号判定フラグをオンに設定して記憶する第２工程とを実行させるメディアカートリッジ盗難検知方法。
【請求項７】
前記構成情報格納部に記憶したメディア構成情報を、前記第１工程により読み込んだ新メディア構成情報と、前記第１工程を実行する以前のバーコード情報及び製造番号とを対応させた旧メディア構成情報とから構成した請求項６記載のメディアカートリッジ盗難検知方法であって、
前記ライブラリ制御装置に、前記第１工程において、
前記構成情報格納部の新メディア構成情報を旧メディア構成情報として複写する第３工程と、
該第３工程の実行後に前記任意のメディアカートリッジから読み込んだメディア構成情報を構成情報格納部に新メディア構成情報として記憶する第４工程とを実行させるメディアカートリッジ盗難検知方法。
【請求項８】
前記ライブラリ制御装置がユーザに警告を発する警告報知部を備えた請求項７記載のメディアカートリッジ盗難検知方法であって、
前記構成情報格納部に格納した新メディア構成情報に含まれるバーコード情報と、任意のタイミングで前記バーコード読取部により読み込んだバーコード情報とを比較し、不一致と判定したとき、前記警告報知部によりユーザに警告を発する第５工程を実行させるメディアカートリッジ盗難検知方法。
【請求項９】
前記請求項８記載のメディアカートリッジ盗難検知方法であって、
任意のタイミングにおいてライブラリ制御装置に、
前記構成情報格納部の製造番号判定フラグがオンに設定されているか否かを判定する第６工程と、
該第６工程において製造番号判定フラグがオンと設定されているメディア構成情報のメディアカートリッジから製造番号読取部を用いて読み取った製造番号と、前記構成情報格納部に格納したメディア構成情報に含まれる製造番号が一致するか否かを判定する第７工程と、
該第７工程において製造番号が一致しないと判定したとき、前記警告報知部によりユーザに警告を発する第８工程とを実行させるメディアカートリッジ盗難検知方法。
【請求項１０】
前記メディアライブラリ装置が、ライブラリ制御装置を介してデータバックアップを行うバックアッププログラムを実行する上位装置に接続された請求項６から９何れかに記載のメディアカートリッジ盗難検知方法であって、
前記各請求項における各工程を、
前記上位装置のバックアッププログラムからのメディア交換命令及びメディア排出命令又はメディア投入命令を含む指示によって実行すること、
又は筐体のドアが閉じられたことを契機として実行するメディアカートリッジ盗難検知方法。
【発明の詳細な説明】
【技術分野】
【０００１】
本発明は、コンピュータシステムの外部記憶装置であるメディアライブラリ装置からのメディアカートリッジ盗難を早期に検知することができるメディアカートリッジ盗難検知システム及びメディアカートリッジ盗難検知方法に関する。
【背景技術】
【０００２】
近年、大容量コンピュータシステムの外部記憶装置として、記録媒体である磁気テープを収納したテープカートリッジ（メディアカートリッジ）を多数収納し、コンピュータシステムから送られてきたデータをテープカートリッジに選択的に記録するテープライブラリ装置が採用されている。このテープライブラリ装置は、例えば下記特許文献１に記載された様に、多数のテープカートリッジを個別に収納するように格子状に多段配置された多数のスロットセルを有するテープ収納部と、当該装置の筐体内を移動して前記スロットセルからテープカートリッジを選択的に出し入れするロボットハンドと、ロボットハンドにより取り出したテープカートリッジの磁気テープにデータを記録再生する複数のテープドライブとを備える。
【０００３】
日々発生する業務データ等はテープカートリッジの磁気テープに記憶されるため、テープカートリッジは企業内の秘密情報等を含むものであり、テープカートリッジの盗難は、企業情報の漏洩につながる恐れがある。そのため、テープライブラリ装置には、図１に示す如く、装置内に収納されているテープカートリッジの盗難を防ぐために筐体の扉１２とテープカートリッジ取出し専用のテープ取り出し用ドア１３と操作パネル１４とを施錠するのが一般的である。また、テープカートリッジの盗難を防止するための他の技術としては、特許文献２に、盗難防止用磁気マーカーを磁気テープカートリッジのハウジング内に装着した磁気テープカートリッジが記載されている。
【先行技術文献】
【特許文献】
【０００４】
【特許文献１】特開２００５−１４９５３５号公報
【特許文献２】特開平５−１５９５２２号公報
【発明の開示】
【発明が解決しようとする課題】
【０００５】
このように従来技術によるテープライブラリ装置は、前記扉１２及びテープカートリッジ取出し用ドア１３から、内部に収納されているテープカートリッジの盗難を防止するための方法として、鍵による施錠、プログラムによる電子的な施錠及び操作パネルを用いたパスワードによる施錠等が一般的である。
【０００６】
しかし、テープライブラリ装置の鍵は同一のテープライブラリ装置シリーズで共通の鍵を使用しており、その鍵を持つものであれば誰でも容易に解錠が可能となる。プログラムによる電子的な施錠も、テープライブラリ制御装置の電源が入っていない状態では電子的な施錠はできない。操作パネルによるパスワードによる施錠は、監査ログ機能を有しないテープライブラリ装置が多く、このために従来技術においては、誰がテープを持ち出したかを監査ログで確認することができないという不具合があった。
【０００７】
また、特許文献２に記載された如く盗難防止用マーカーや無線ＩＣタグを備えた磁気テープカートリッジにより盗難を防止する方法は、入出室管理システム等、物理的な投資が必要となりコストがかかると言う不具合があった。
【０００８】
本発明は、これらの問題点を解決するためになされたものであり、低コストでメディアライブラリ装置内部に収容されるメディアカートリッジの盗難を有効に防止し、盗難を早期に検知できるメディアカートリッジ盗難検知システム及びメディアカートリッジ盗難検知方法を提供することを目的とする。
【発明の概要】
【０００９】
前記目的を達成するため本発明は、データを記録する記録媒体を収納し、カートリッジ製造番号を記録するメモリ及びバーコード情報を表すバーコードが設けられたメディアカートリッジを複数収納し、選択されたメディアカートリッジの記録媒体にデータの記録再生を行うメディアライブラリ装置におけるメディアカートリッジの盗難を検知するメディアカートリッジ盗難検知システムであって、
前記メディアライブラリ装置が、
前記メディアカートリッジのバーコードからバーコード情報を読み取るバーコード読取部と、前記メディアカートリッジのメモリから製造番号を読み取る製造番号読取部と、前記メディアカートリッジの投入及び排出を行うために開閉されるドアを含む筐体とを備え、
該メディアライブラリ装置を制御するライブラリ制御装置が、
前記バーコード読取部及び製造番号読取部が任意のメディアカートリッジから読み込んだ前記バーコード情報及び製造番号とを対応させたメディア構成情報を記憶する構成情報格納部とを備え、
任意のメディアカートリッジから前記バーコード読取部及び製造番号読取部が読み込んだメディア構成情報を構成情報格納部に記憶する第１工程と、
該メディアライブラリ装置の電源を投入したとき、前記構成情報格納部に記憶したメディア構成情報のバーコード情報と製造番号の対応が正しいか否かを判定する判定処理を実行することを示す製造番号判定フラグをオンに設定して記憶する第２工程とを実行させることを第１の特徴とする。
【００１０】
また本発明は、第１の特徴のメディアカートリッジ盗難検知システムにおいて、前記構成情報格納部に記憶したメディア構成情報を、前記第１工程により読み込んだ新メディア構成情報と、前記第１工程を実行する以前のバーコード情報及び製造番号とを対応させた旧メディア構成情報とから構成し、
前記制御するライブラリ制御装置が、前記第１工程において、
前記構成情報格納部の新メディア構成情報を旧メディア構成情報として複写する第３工程と、
該第３工程の実行後に前記任意のメディアカートリッジから読み込んだメディア構成情報を構成情報格納部に新メディア構成情報として記憶する第４工程とを実行することを第２の特徴とする。
【００１１】
また本発明は、第２の特徴のメディアカートリッジ盗難検知システムにおいて、前記ライブラリ制御装置が、ユーザに警告を発する警告報知部を備え、
前記構成情報格納部に格納した新メディア構成情報に含まれるバーコード情報と、任意のタイミングで前記バーコード読取部により読み込んだバーコード情報とを比較し、不一致と判定したとき、前記警告報知部によりユーザに警告を発する第５工程を実行することを第３の特徴とする。
【００１２】
また本発明は、第３の特徴のメディアカートリッジ盗難検知システムにおいて、任意のタイミングにおいてライブラリ制御装置が、
前記構成情報格納部の製造番号判定フラグがオンに設定されているか否かを判定する第６工程と、
該第６工程において製造番号判定フラグがオンと設定されているメディア構成情報のメディアカートリッジから製造番号読取部を用いて読み取った製造番号と、前記構成情報格納部に格納したメディア構成情報に含まれる製造番号が一致するか否かを判定する第７工程と、
該第７工程において製造番号が一致しないと判定したとき、前記警告報知部によりユーザに警告を発する第８工程とを実行することを第４の特徴とする。
【００１３】
また本発明は、第１から第４何れかの特徴のメディアカートリッジ盗難検知システムにおいて、前記メディアライブラリ装置がライブラリ制御装置を介してデータバックアップを制御するバックアッププログラムを実行する上位装置に接続され、
前記各特徴における各工程を、
前記上位装置のバックアッププログラムからのメディア交換命令及びメディア排出命令又はメディア投入命令を含む指示によって実行すること、
又は筐体のドアが閉じられたことを契機として実行することを第５の特徴とする。
【００１４】
更に本発明は、データを記録する記録媒体を収納し、カートリッジ製造番号を記録するメモリ及びバーコード情報を表すバーコードが設けられたメディアカートリッジを複数収納する収納部と、前記メディアカートリッジのバーコードからバーコード情報を読み取るバーコード読取部と、前記メディアカートリッジのメモリから製造番号を読み取る製造番号読取部と、前記メディアカートリッジの投入及び排出を行うために開閉されるドアを含む筐体とを備えるメディアライブラリ装置と、
前記バーコード読取部及び製造番号読取部が任意のメディアカートリッジから読み込んだ前記バーコード情報及び製造番号とを対応させたメディア構成情報を記憶する構成情報格納部とを備えるライブラリ制御装置とから成り、メディアカートリッジの盗難を検知するメディアカートリッジ盗難検知システムにおける盗難検知方法において、
前記ライブラリ制御装置が、メディアライブラリ装置に電源が投入されたとき、
任意のメディアカートリッジから前記バーコード読取部及び製造番号読取部が読み込んだメディア構成情報を構成情報格納部に記憶する第１工程と、
前記構成情報格納部に記憶したメディア構成情報のバーコード情報と製造番号の対応が正しいか否かを判定する判定処理を実行することを示す製造番号判定フラグをオンに設定して記憶する第２工程とを実行させることを第６の特徴とする。
【００１５】
また本発明は、前記構成情報格納部に記憶したメディア構成情報を、前記第１工程により読み込んだ新メディア構成情報と、前記第１工程を実行する以前のバーコード情報及び製造番号とを対応させた旧メディア構成情報とから構成した第６の特徴のメディアカートリッジ盗難検知方法であって、
前記ライブラリ制御装置に、前記第１工程において、
前記構成情報格納部の新メディア構成情報を旧メディア構成情報として複写する第３工程と、
該第３工程の実行後に前記任意のメディアカートリッジから読み込んだメディア構成情報を構成情報格納部に新メディア構成情報として記憶する第４工程とを実行させることを第７の特徴とする。
【００１６】
また本発明は、前記ライブラリ制御装置がユーザに警告を発する警告報知部を備えた第７の特徴のメディアカートリッジ盗難検知方法において、
前記構成情報格納部に格納した新メディア構成情報に含まれるバーコード情報と、任意のタイミングで前記バーコード読取部により読み込んだバーコード情報とを比較し、不一致と判定したとき、前記警告報知部によりユーザに警告を発する第５工程を実行させることを第８の特徴とする。
【００１７】
また本発明は、第８の特徴のメディアカートリッジ盗難検知方法において、任意のタイミングにおいてライブラリ制御装置に、
前記構成情報格納部の製造番号判定フラグがオンに設定されているか否かを判定する第６工程と、
該第６工程において製造番号判定フラグがオンと設定されているメディア構成情報のメディアカートリッジから製造番号読取部を用いて読み取った製造番号と、前記構成情報格納部に格納したメディア構成情報に含まれる製造番号が一致するか否かを判定する第７工程と、
該第７工程において製造番号が一致しないと判定したとき、前記警告報知部によりユーザに警告を発する第８工程とを実行させることを第９の特徴とする。
【００１８】
また本発明は、前記メディアライブラリ装置がライブラリ制御装置を介してデータバックアップを行うバックアッププログラムを実行する上位装置に接続された第６から９何れかの特徴のメディアカートリッジ盗難検知方法において、
前記各請求項における各工程を、
前記上位装置のバックアッププログラムからのメディア交換命令及びメディア排出命令又はメディア投入命令を含む指示によって実行すること、
又は筐体のドアが閉じられたことを契機として実行することを第１０の特徴とする。
【発明の効果】
【００１９】
本発明によるメディアカートリッジ盗難検知システム及びメディアカートリッジ盗難検知方法は、ライブラリ制御装置が、メディアライブラリ装置に電源を投入したとき、構成情報格納部に記憶したメディア構成情報のバーコード情報と製造番号の対応が正しいか否かを判定する判定処理を実行することを示す製造番号判定フラグをオンに設定し、任意のタイミングにおいて、メディアカートリッジから読み込んだバーコード情報及び製造番号と、前記構成情報格納部に記憶したバーコード情報及び製造番号とを比較することによって、容易にメディアが盗難にあったことを早期に検知することができる。
【図面の簡単な説明】
【００２０】
【図１】本発明の一実施形態によるテープライブラリ装置の外観を概略的に示す図。
【図２】本テープライブラリ装置を含むコンピュータシステムを示す図。
【図３】本実施形態によるテープライブラリ制御装置の構成を示す図。
【図４】本実施形態によるテープ構成情報管理部の旧テープ構成情報格納部及び新テープ構成情報格納部に格納されるデータの一例を示す図。
【図５】本実施形態による装置電源投入時における盗難検知の処理手順を示すフローチャート。
【図６】本実施形態によるテーブル更新処理手順を示すフローチャート。
【図７】本実施形態によるバーコードチェック処理手順を示すフローチャート。
【図８】本実施形態による非同期テープ製造番号チェック処理手順を示すフローチャート。
【図９】本実施形態による装置電源投入中にテープ取り出し用ドア開かれた際のバーコード情報照合処理手順を示すフローチャート。
【図１０】本実施形態による装置電源投入中にテープカートリッジが挿入された際のバーコード情報照合処理手順を示すフローチャート。
【図１１】本実施形態による装置電源投入中にテープカートリッジが排出された際のバーコード情報照合処理手順を示すフローチャート。
【発明を実施するための最良の形態】
【００２１】
まず、本願発明者は、低コスト且つ早期にテープカートリッジの盗難を検知するため、テープライブラリ装置の電源が入ったときに加え、テープ取り出し用ドアがクローズされたとき、テープが挿入されたとき、テープが排出されたとき等の、カートリッジテープが不当に取り出される可能性があるイベント発生時がカートリッジ盗難の早期検知に有効である点に着目し、これらのイベント発生時に、テープカートリッジのバーコードを読み込んで盗難を検知すること、更には前述のイベント発生時以外の非同期でテープカートリッジの製造番号チェックをすることにより、ハードウェアに負担をかけずにテープカートリッジの盗難を早期に発見できる本願発明を成した。以下、この原理を採用したメディアカートリッジ盗難検知システム及び同盗難検知方法の実施形態を、メディアカートリッジ例としてテープカートリッジを挙げ、以下、詳細に説明する。図１〜図１１は、本発明の実施の形態を例示する図であり、これらの図において、同一の符号を付した部分は同一物を表わし、基本的な構成及び動作は同様であるものとする。
【００２２】
［構成］
まず、本実施形態の対象となるテープライブラリ装置１０の外観は、図１に示す如く、テープカートリッジを作業員が交換等を行うために開閉される扉１２と、テープカートリッジの交換を行うために開閉されるテープ取り出し用ドア１３と、テープライブラリ装置の操作を行うための操作パネル１４と、これら構成が配される筺体１１とを備える。前記扉１２は、テープライブラリ導入時などの大量のテープカートリッジを投入するときに開閉されるものであり、前記テープ取り出し用ドア１３は、主に交換用のテープカートリッジを複数装填した交換モジュール（図示せず）を出し入れするときに開閉されるものである。また本実施形態の対象となるテープカートリッジは、非接触でデータ交信が可能なＲＦＩＤタグ等のメモリを内蔵し、該メモリには磁気テープの製造番号（製造番号）を記録しているものとする。
【００２３】
このテープライブラリ装置１０は、図２に示す如く、多数のテープカートリッジ（図示せず）を個別に収納するように格子状に多段配置された多数のスロットセル１６を有するテープ収納部１５と、当該装置の筐体内を移動して前記スロットセル１６からテープカートリッジを選択的に出し入れするロボットハンド１８と、該ロボットハンド１８により出し入れされるテープカートリッジのバーコード読み取りを行うバーコードリーダー１９と、該バーコードリーダー１９付きのロボットハンド１８によりテープカートリッジが搬送される搬送テーブル１７と、前記ロボットハンド１８により取り出されたテープカートリッジの磁気テープにデータを記録再生する複数のテープドライブ２０と、前記ロボットハンド１８の制御機能／バーコードリーダー１９の制御機能／カートリッジメモリのリーダー制御機能を有するライブラリ制御部３０とを備える。
【００２４】
このように構成されたテープライブラリ装置１０は、コンピュータシステムのサーバ１００にテープライブラリ制御装置３００を介して接続され、コンピュータシステムのサーバ１００のデータを記録するディスク装置２００に記録されたデータをテープライブラリ制御装置３００の制御によって多数のテープカートリッジにバックアップ記録や本実施形態によるテープ構成情報の制御等を行う様に構成されている。
【００２５】
前記テープライブラリ制御装置３００は、テープライブラリ装置１０にＳＣＳＩコマンドを発行することによって、テープ格納状態情報／バーコード情報／テープ製造番号の取得を行い、これら情報を格納する機能と、後述するメディアカートリッジ盗難検知を制御する機能とを備えるものであり、図３に示す如く、バーコードリーダー１９で読み取ったバーコード情報をチェックするバーコードチェック部３０１と、テープドライブ２０で読み取ったテープカートリッジのメモリ内の製造番号をチェックするテープ製造番号チェック部３０２と、後述する交換による新旧テープの構成情報を格納するテープ構成情報管理部３１０と、テープカートリッジの入替があったときに音や光による警告を行う報知部３２０により構成される。また、テープ構成情報管理部３１０は旧テープ構成情報格納部３１１と、新テープ構成情報格納部３１２により構成される。
【００２６】
前記テープ構成情報管理部３１０は、交換前のテープカートリッジの情報を格納する旧テープ構成情報格納部３１１と、交換後のテープカートリッジの情報を格納する新テープ構成情報格納部３１２とから構成され、各格納部３１１及び３１２のデータフォーマットは、図４に示す如く、「スロット番号」、「テープグループ番号」、「テープグループ内テープ番号」、「バーコード情報」、「テープ製造番号情報」、「バックアップ情報」、「非同期テープ製造番号チェック対象フラグ」の各項目情報から成り、例えば、スロット番号「００００」のスロットセルには、「テープグループ番号」が「１」、「テープグループ内テープ番号」が「１」、「バーコード情報」が「ＴＰ０００７Ｌ３」、「テープ製造番号情報」が「０００２５８」、「バックアップ情報」がバックアップ日時を示す「２００８／０１／２３  １５：４５」、「非同期テープ製造番号チェック対象フラグ」が「ＯＮ」の如く格納されている。尚、「非同期テープ製造番号チェック対象フラグ」とは、前述のイベント発生時以外のタイミングでテープ製造番号が正規の登録された製造番号が否かを判定する対象テープカセットをフラグによって指定するものであって、「ＯＮ」が対象、「ＯＦＦ」が非対象を示すものとする。
【００２７】
［動作］
[装置電源投入時]
次に前述のように構成されたテープライブラリ装置１０の電源を入れたときのテープライブラリ制御装置３００の制御下における盗難検知処理手順を図５を参照して説明する。尚、本例においては処理手順をテープライブラリ制御装置３００が制御する例を説明するが、この動作は、テープライブラリ制御装置３００の制御によるものに限らず、これは後述する処理フローにおいても同様である。
【００２８】
まず、テープライブラリ装置１０の電源が投入された場合、本実施形態によるテープライブラリ制御装置３００は、テープライブラリ装置１０を構成するハードウェアの初期化を行うステップＳ５１と、搬送テーブル１７上のロボットハンド位置を初期化（待機位置にロボットハンドを戻し、位置情報を初期位置にセットする等の処理）するステップＳ５２と、バーコードリーダー１９によりスロットセル１６に格納されている全テープカートリッジのバーコードを読み取り、バーコード情報を取得するステップＳ５３と、該ステップＳ５３により取得した電源投入時のテープ構成情報（スロットセル毎のバーコード情報）を新テープライブラリ構成情報格納部３１２にバックアップするテーブル更新処理を行うステップＳ５４とを実行する。
【００２９】
次いで本処理は、テープ構成情報管理部３１０に格納されている旧テープ構成情報格納部３１１と新テープ構成情報格納部３１２に格納したバーコード情報とが一致するか否かを判定することによってテープカートリッジが交換されたかバーコードチェックにより判定するステップＳ５５と、新旧のバーコード情報が不一致と判定したとき、そのスロットの非同期テープ製造番号チェックフラグをＯＮにするステップＳ５６とを実行する。
【００３０】
これら一連の処理によって本実施形態による盗難検知処理は、装置の電源投入時にライブラリに装填しているテープカートリッジのバーコード情報を読み取り、装置電源投入前に読み取ったセル毎のバーコード情報と一致するかを判定することによって、テープカートリッジが交換されたか否かを判定し、バーコード情報の相違によって交換されたと判定したとき、新テープ構成情報３１２の非同期テープ製造番号チェックフラグをＯＮにするように動作する。尚、前記非同期テープ製造番号チェックフラグをＯＮにする理由は、テープカートリッジに貼り付けられたバーコードは比較的容易に貼り替えが容易であり、悪意によって正規なバーコード紙が付け替えられたか否かを後述する処理によって判定するためである。
【００３１】
［テーブル更新処理］
次に前記ステップＳ５４によるテーブル更新処理を図６を参照して説明する。このテーブル更新処理は、図６に示す如く、テープライブラリ制御装置３００が、テープ構成情報管理部３１０の新テープ構成情報格納部３１２に格納したテープ構成情報を旧テープ構成情報格納部３１１のテープ構成情報としてコピーするステップＳ６１と、前述の図５のステップＳ５３により取得したバーコード情報を新テープ構成情報格納部３１２に格納するステップＳ６２とを実行することによって、装置起動前のテープ構成情報を旧テープ構成情報格納部３１１に格納すると共に起動時に取得したテープ構成情報を新テープ構成情報格納部３１２にテープ構成情報として格納することができる。
【００３２】
［バーコードチェック処理］
次に本実施形態による前記ステップＳ５５によるバーコードチェック処理を図７を参照して説明する。このバーコードチェック処理は、図７に示す如く、テープライブラリ制御装置３００が、旧テープ管理情報格納部３１１から対象となるテープカートリッジのバーコード情報を取得するステップＳ７１と、該ステップＳ７１により取得したバーコード情報が新テープ管理情報格納部３１２内に格納されているか否かを判定し、格納されていると判定したときに後述のステップＳ７５に移行するステップＳ７２と、該ステップＳ７２において格納されていないと判定したときに前記報知部３２０に警告他の動作を指示するステップＳ７３と、前記ステップＳ７１〜７３の経緯をログとした監査ログを取得するステップＳ７４と、全テープカートリッジのチェックが終了したか否かを判定し、終了していないと判定したときに前記ステップＳ７１に戻り、終了したと判定したときに処理を終了するステップＳ７５とを実行することによって、装置起動時に取得したバーコード情報が新テープ構成情報格納部３１２に登録済みか否かを判定し、未登録な不正の可能性のあるテープカートリッジが装着されたことを判定したとき、警告処理を行う様に動作する。
【００３３】
本実施形態によるメディアカートリッジ盗難検知システム及びメディアカートリッジ盗難検知方法は、前記装置電源投入時に限らず、他のタイミングによってもテープカートリッジが盗難された可能性があるか否かを判定するものであって、これら検知タイミング別の盗難検知動作を図７以降を参照して説明する。
【００３４】
［非同期テープ製造番号チェック処理］
まず、本実施形態によるメディアカートリッジ盗難検知システム及び同方法は、テープライブラリ制御装置３００が前述のテープライブラリ装置１０を立ち上げた後、テープライブラリ装置１０の非稼働時、例えば、夜間や休日に、新テープ構成情報格納部３１２の非同期テープ製造番号チェックフラグがＯＮになっているテープカートリッジに対してバーコード情報と製造番号が一致するか否かを判定するチェック処理を行うように動作する。
【００３５】
このチェック処理は、図８に示す如く、まず、テープライブラリ制御装置３００が、新テープ構成情報格納部３１２のテープ製造番号チェックフラグがＯＮ且つＴＧ（テープグループ）の先頭テープが有るか否かを判定するステップＳ８０１と、該ステップＳ８０２による条件を満足するテープカートリッジの中で時間的に最近にデータをバックアップしたテープカートリッジをチェック対象に設定するステップＳ８０２と、前記ステップＳ８０２において、当該条件を満足しないと判定したとき、非同期テープ製造番号チェックフラグがＯＮのテープカートリッジが有るか否かを判定し、ないと判定したときに処理を終了するステップＳ８０３と、該ステップＳ８０３において前記チェックフラグがＯＮのテープカートリッジがあると判定したとき、当該チェックフラグがＯＮのテープカートリッジ中で時間的に最近にデータをバックアップしたテープカートリッジをチェック対象に設定するステップＳ８０４と、前記ステップＳ８０２又は８０４により設定したテープカートリッジをロボットハンド１８により任意のテープドライブ２０に搬送・投入するステップＳ８０５と、テープドライブ２０が投入されたテープカートリッジのメモリからテープ製造番号を読み込むステップＳ８０６と、該ステップＳ８０６により製造番号を読み込んだテープカートリッジの新テープ構成情報格納部３１２の非同期テープ製造番号チェックフラグをＯＦＦに変更するステップＳ８０７とを実行する。
【００３６】
次いで本チェック処理は、前記ステップＳ８０７に続き、メモリから読み込んだテープカートリッジ製造番号と新テープ構成情報格納部３１２に格納されているテープ製造番号とが一致するか否かを判定し、一致し、正規のテープカートリッジとして判定したときに前記ステップＳ８０１に戻るステップＳ８０８と、該ステップＳ８０８において、一致しないと判定したとき、前記報知部３２０に警告他の動作を指示するステップＳ８０９と、前記ステップＳ８０１〜８０９の経緯をログ情報とした監査ログを取得するステップＳ８１０とを順次実行する。
【００３７】
これら一連の処理によって本実施形態によるメディアカートリッジ盗難検知システム及び同方法は、テープライブラリ制御装置３００が、装置の夜間や休日等の時間帯のハードウェア負荷が低い状態において、時間的に最近にバックアップを実行したテープカートリッジの製造番号が新テープ構成情報格納部３１２に格納されているテープ製造番号と一致するか否かを判定することによって、例えば正規なテープカートリッジがバーコードが不正に貼り付けられたテープカートリッジと交換されたことを早期に検知することができる。
【００３８】
［テープ取り出し用ドア開閉時処理］
本実施形態によるメディアカートリッジ盗難検知システム及び同方法は、テープライブラリ装置１０の電源投入中にテープ取り出し用ドア１３が開閉されたとき、テープライブラリ装置１０のバーコード情報の照合による盗難検知を実行するものであって、この処理手順を図９を参照して説明する。
【００３９】
このテープカートリッジ取り出し用ドア１３開閉時の盗難検知処理は、図９に示す如く、テープライブラリ制御装置３００が、テープカートリッジ取り出し用ドア１３が閉じられ、交換モジュールからテープカートリッジがロボットハンドによりセルに収納されたことを検出したとき、バーコードリーダー１９を用いてスロットセル１６に格納されているテープカートリッジのバーコードを読み取るステップＳ９１と、該ステップＳ９１により読み取ったバーコード情報を新テープ構成情報格納部３１２に記録したバーコード情報に更新するテーブル更新処理を行うステップＳ９２と、テープ構成情報管理部３１０の旧テープ構成情報格納部３１１に登録されているバーコード情報と前記ステップＳ９１により読み取ったバーコード情報が相違するか否かをチェックするステップＳ９３と、該ステップＳ９３によってバーコード情報に相違があると判定したとき、非同期テープ製造番号チェックフラグをＯＮにするステップＳ９４とを実行する。
【００４０】
これら処理によって本実施形態においては、カートリッジ取り出し用ドア１３が開閉されたとき、収納したテープカートリッジのバーコード情報が新テープ構成情報格納部３１２に格納しているバーコード情報と一致するかを判定することによって、前記ドア１３開閉のイベントを契機として収納したテープカートリッジの盗難を早期に検知することができると共に、非同期にてテープ製造番号チェック処理を行うことができる。
【００４１】
［テープカートリッジ投入時処理］
本実施形態によるメディアカートリッジ盗難検知システム及び同方法は、装置電源投入中にユーザ命令によってテープカートリッジが新たに投入されるときにおいても、バーコード情報の取得乃至登録を行うものであって、この処理手順を図１０を参照して説明する。
【００４２】
このテープカートリッジ投入時の盗難検知処理は、図１０に示す如く、テープライブラリ制御装置３００が、上位からの命令によって新たにテープカートリッジが投入されたことを検知するステップＳ１０１と、該ステップＳ１０１により投入を検知したテープカートリッジのバーコード情報を前述の処理同様に取得するステップＳ１０２と、該ステップＳ１０２により取得したバーコード情報を新テープ構成情報格納部３１２に記録したバーコード情報に更新するテーブル更新処理を行うステップＳ１０３と、テープ構成情報管理部３１０の旧テープ構成情報格納部３１１に登録されているバーコード情報と前記ステップＳ１０３により読み取ったバーコード情報が相違するか否かをチェックするステップＳ１０４と、該ステップＳ１０４によってバーコード情報に相違があると判定したとき、非同期テープ製造番号チェックフラグをＯＮにするステップＳ１０５とを実行することによって、テープカートリッジが新たに投入されたとき、新たに投入されたテープカートリッジのバーコード情報を新テープ構成情報格納部３１２に登録すると共に、非同期にてテープ製造番号チェック処理を行うように動作する。尚、前記ステップＳ１０１は、扉１２の開閉やスロットセル１６のセンサ（図示せず）によるテープカートリッジの投入を契機としても良い。
【００４３】
［テープカートリッジ排出時処理］
本メディアカートリッジ盗難検知システム及び同方法は、ユーザからの操作によって上位からのテープ排出命令をトリガとしてテープカートリッジがテープ取り出しドア１３から交換モジュールを介して取り出されるとき、テープライブラリ制御装置３００が新テープ管理情報格納部３１２に格納したテープ構成情報を更新すると共に排出されるテープカートリッジのバーコード情報のチェックを実行するものであって、この処理手順を図１１を参照して説明する。
【００４４】
このテープカートリッジ排出時の処理は、図１１に示す如く、テープライブラリ制御装置３００が、上位からのテープカートリッジ排出命令又はスロットセル１６のセンサ（図示せず）によってテープカートリッジが排出されることを検知するステップＳ１１１と、該ステップＳ１１１により排出を検知したテープカートリッジのバーコード情報を含むテープ構成情報を新テープ構成情報格納部３１２から削除するテーブル更新処理を行うステップＳ１１２と、当該排出対象のテープカートリッジから読み取ったバーコード情報と前記新テープ構成情報格納部３１２から削除したバーコード情報とが一致するか否かを判定し、正規なテープカートリッジの排出か否かを判定するステップＳ１１３とを実行することによって、上位から指定されたテープカートリッジが正規に排出されることを確保することができ、且つテープ構成情報管理部３１０のテープ情報を更新することができる。
【００４５】
以上、メディアをテープカートリッジとした実施形態例によるメディアカートリッジ盗難検知システム及びメディアカートリッジ盗難検知方法を説明したが、本発明はメディアの種類／ライブラリ装置の形状や構造等は前述の実施形態のものに限られず、例えばメディアとしてフレキシブルディスク、光磁気ディスク、光ディスク及び磁気ディスク等他のメディアを記録媒体としたライブラリ装置にも適用することができる。また、前述の非同期テープ製造番号チェックは、複数のバックアップを取得している場合、先頭のテープカートリッジのみを優先して、２本目以降の優先順位を下げることによって、早期にテープカートリッジの検出を可能とすることができる。
また、テープカートリッジにメモリが内蔵されていないテープカートリッジの場合にも、磁気テープ内のシステム情報記録エリアに製造番号が記録されておりかつ読取可能であれば、本発明が適用可能である。
【００４６】
また、データのバックアップと非同期テープ製造番号チェックの重複を避けるため、非同期テープ製造番号チェックの実行時間を休日や夜間等の時間帯に設定することや、将来的にロボットハンドにテープ製造番号リーダーを付けることによって、バーコードチェックと同じタイミングでチェックもできる。同様に、製造の困難なＲＦＩＤタグをテープカートリッジに内蔵し、ロボットハンドにリーダーを付けることによっても、同様のタイミングで検出が可能となる。
【００４７】
以上のように本実施形態によるメディアカートリッジ盗難検知システム及びメディアカートリッジ盗難検知方法は、低コストでテープライブラリ装置内部に収容されるテープカートリッジの盗難を有効に防止し、盗難を早期に検知できるテープライブラリ装置及び盗難検知方法を提供することができる。また、ハードウェアに負担をかけず、テープカートリッジの盗難を検知することが可能となる。
【符号の説明】
【００４８】
１０：テープライブラリ装置、１１：筐体、１２：扉、１３：テープ取り出し用ドア、１４：操作パネル、１５：テープ収納部、１６：スロットセル、１７：搬送テーブル、１８：ロボットハンド、１９：バーコードリーダー、２０：テープドライブ、３０：ライブラリ制御部、１００：サーバ、２００：ディスク装置、３００：テープライブラリ制御装置。
【図１】
2010250887.tif 000003
【図２】
2010250887.tif 000004
【図３】
2010250887.tif 000005
【図４】
2010250887.tif 000006
【図５】
2010250887.tif 000007
【図６】
2010250887.tif 000008
【図７】
2010250887.tif 000009
【図８】
2010250887.tif 000010
【図９】
2010250887.tif 000011
【図１０】
2010250887.tif 000012
【図１１】
2010250887.tif 000013